(57)【特許請求の範囲】
【請求項１】
処理槽に排水を導く円筒状の横主管の内部に堆積されたゴミを除去するために設けられた横主管用掃除口構造であって、
前記横主管の周壁における上側部位に設けられて、前記横主管の軸方向に沿って延びるような略長方形に開口する掃除口と、
該掃除口を開口可能に閉塞する半割り円筒状の蓋体と、
前記蓋体の外周縁を前記掃除口の周縁に当接させつつ、前記蓋体によって前記掃除口を閉塞させた状態で、前記蓋体を前記横主管の外周面に押圧して取り付け可能に、前記蓋体とともに前記横主管の外周面に当接させ、締め付け時に内周面を縮径可能とした円環状の締結手段と、
を備えて構成され、
前記蓋体の外周縁を前記掃除口の周縁に当接させつつ、前記蓋体によって前記掃除口を閉塞させた状態で、前記締結手段を締め付けて、前記蓋体を前記横主管の外周面側に押圧することにより、前記掃除口が閉塞されていることを特徴とする横主管用掃除口構造。
【請求項２】
前記掃除口が、前記横主管の軸直交断面において、前記横主管の中心の直上部位を中央とし、かつ、前記横主管の中心からの開口角度を、９０〜１２０°の範囲内として、開口されていることを特徴とする請求項１に記載の横主管用掃除口構造。
【請求項３】
前記掃除口閉塞時の前記蓋体における前記横主管の軸方向と周方向とに沿う方向のずれを規制可能なずれ規制突起が、
前記蓋体の外周縁に対して当接して位置規制可能に、前記横主管に突設されるように、若しくは、前記掃除口の内縁に対して当接して位置規制可能に、前記蓋体の下面側に突設されるように、
配設されていることを特徴とする請求項１若しくは請求項２に記載の横主管用掃除口構造。
【請求項４】
前記締結手段が、
前記横主管の周方向に沿って配置されて、前記蓋体とともに前記横主管の外周面に当接させ、かつ、内周面を縮径可能な円環状の複数のクランプと、
該クランプを、前記横主管の軸方向に沿って連結させた連結体と、
を備えて構成されるとともに、
前記各クランプが、それぞれ、ヒンジで相互に連結された半割り円筒状の一対の把持杆を備えるとともに、一対の前記把持杆における前記ヒンジから離れた開放端側相互をねじ止めして、内周側を縮径させるヒンジクランプから、構成されていることを特徴とする請求項１乃至請求項３のいずれか１項に記載の横主管用掃除口構造。
【請求項５】
前記掃除口を備え、かつ、前記蓋体を取り付ける部位が、前記横主管の内外径と略同一とした組付管に配設され、
該組付管が、前記横主管の本体から切り取られた切除部位に、管継手を利用して接続されて、
前記横主管に配設されていることを特徴とする請求項１乃至請求項４のいずれか１項に記載の横主管用掃除口構造。
【発明の詳細な説明】
【技術分野】
【０００１】
本発明は、高層の集合住宅等の処理槽に排水を導く横主管内に堆積されたゴミ（特に、卵や貝の殻）を、除去するために設けられた横主管用掃除口構造に関する。
【背景技術】
【０００２】
従来、高層集合住宅等では、家庭内の生ゴミは、ディスポーザにより粉砕して、台所流し系統の排水とともに、処理槽に流入させ、そして、処理槽において、曝気処理・沈殿処理等を行って、下水に流していた（例えば、特許文献１参照）。
【先行技術文献】
【特許文献】
【０００３】
【特許文献１】特開２００９−１８９９１７号公報
【発明の概要】
【発明が解決しようとする課題】
【０００４】
しかし、ディスポーザで粉砕したゴミの内、卵・貝・蟹等の殻（これらを総称して卵殻とする）が含まれていると、排水立て管を経た後における処理槽に至るまでの横主管の部位で、卵殻が堆積することが避けられず、横主管の排水性能を低下させたり、横主管を詰まらせてしまう場合があった。
【０００５】
なお、横主管より排水の上流側となる排水立て管等の掃除口の部位から高圧の洗浄水を流しても、ヘドロ状の物質が流されるだけで、堆積された卵殻自体は、サラサラとなった状態で、横主管内に堆積された状態を維持することとなり、簡単に、横主管から排出させ難く、横主管を詰まらせたり、横主管の排水性能を低下させる事態を招き易かった。
【０００６】
本発明は、上述の課題を解決するものであり、処理槽に至るまでの横主管内に堆積するゴミを円滑に除去できる横主管用掃除口構造を提供することを目的とする。
【課題を解決するための手段】
【０００７】
本発明に係る横主管用掃除口構造では、処理槽に排水を導く円筒状の横主管の内部に堆積されたゴミを除去するために設けられた横主管用掃除口構造であって、
前記横主管の周壁における上側部位に設けられて、前記横主管の軸方向に沿って延びるような略長方形に開口する掃除口と、
該掃除口を開口可能に閉塞する半割り円筒状の蓋体と、
前記蓋体の外周縁を前記掃除口の周縁に当接させつつ、前記蓋体によって前記掃除口を閉塞させた状態で、前記蓋体を前記横主管の外周面に押圧して取り付け可能に、前記蓋体とともに前記横主管の外周面に当接させ、締め付け時に内周面を縮径可能とした円環状の締結手段と、
を備えて構成され、
前記蓋体の外周縁を前記掃除口の周縁に当接させつつ、前記蓋体によって前記掃除口を閉塞させた状態で、前記締結手段を締め付けて、前記蓋体を前記横主管の外周面側に押圧することにより、前記掃除口が閉塞されていることを特徴とする。
【０００８】
本発明に係る横主管用掃除口構造では、ゴミを除去する際、締結手段を緩めて、蓋体を横主管から外せば、掃除口を開口させることができる。そして、掃除口は、横主管の周壁における上側部位に開口されており、横主管内に排水自体が残っていても、その排水を流下させず、すなわち、周囲を水浸しすること無く、ゴミを除去することが可能となる。また、掃除口は、横主管の軸方向に沿って延びた略長方形に開口されており、横主管の下側周壁の内周面側において、横主管の軸方向に沿って手やスコップ、あるいは、バキュームホース等を動かすことができて、容易に、ゴミを掬ったり吸引することができ、ゴミの除去作業を円滑に行うことができる。
【０００９】
そして、ゴミの除去後は、蓋体の外周縁を掃除口の周縁に当接させつつ、蓋体によって掃除口を閉塞させた状態で、締結手段を締め付けて、蓋体を横主管の外周面側に押圧させれば、掃除口を蓋体によって閉塞させることができて、その後に、各住居からの排水が集合されて横主管を通過することとなっても、掃除口が閉塞されていることから、円滑に、処理槽まで排水を導くことができる。なお、掃除口は、横主管の周壁における上側部位に開口されており、蓋体を横主管の外周面に押圧する際、単に、蓋体を下方に押圧するだけでも、蓋体の外周縁を、掃除口の周縁となる横主管の外周面に押圧することができて、安定して、蓋体による掃除口の閉塞状態を、確保することができる。
【００１０】
したがって、本発明に係る横主管用掃除口構造では、処理槽に至るまでの横主管内に堆積するゴミを円滑に除去でき、また、除去後には、円滑に、処理槽まで排水を導くことができる。
【００１１】
なお、掃除口は、横主管の軸直交断面において、横主管の中心の直上部位を中央とし、かつ、横主管の中心からの開口角度を、９０〜１２０°の範囲内として、開口させることが望ましい。なぜなら、掃除口の開口角度が９０°未満であれば、掃除口の開口幅が狭くなって、効率的にゴミを掬い難くなり、また、掃除口の開口角度が、１２０°を超えれば、蓋体を横主管の外周面に押圧する際、蓋体の外周縁の両下縁側を、安定して横主管の外周面に対して押圧し難くなるからである。
【００１２】
また、本発明に係る横主管用掃除口構造では、掃除口閉塞時の蓋体における横主管の軸方向と周方向とに沿う方向のずれを規制可能なずれ規制突起を、
蓋体の外周縁に対して当接して位置規制可能に、横主管に突設されるように、若しくは、掃除口の内縁に対して当接して位置規制可能に、蓋体の下面側に突設されるように、
配設することが望ましい。
【００１３】
このような構成では、掃除口を塞ぐように蓋体を配置させれば、蓋体が、ずれ規制突起を、蓋体の外周縁、若しくは、掃除口の内縁に当接させて、横主管の軸方向と周方向との方向に沿うずれを規制されることから、締結手段を締め付ける作業等を行っても、蓋体の掃除口の閉塞状態を、安定して確保することができる。また、掃除口を塞ぐように蓋体を配置させる際、ずれ規制突起を、蓋体の外周縁や掃除口の内縁に対して当接させたり、あるいは、それらに当接させないようにする等して、ずれ規制突起と、蓋体の外周縁若しくは掃除口の内縁と、を、蓋体の閉塞位置へのガイドとして使用でき、横主管の上側部位に大きく掃除口が開口されていても、容易に、掃除口の閉塞位置に、蓋体を配置させることができる。
【００１４】
さらに、締結手段は、
横主管の周方向に沿って配置されて、蓋体とともに横主管の外周面に当接させ、かつ、内周面を縮径可能な円環状の複数のクランプと、
クランプを、横主管の軸方向に沿って連結させた連結体と、
を設けて構成し、
各クランプは、それぞれ、ヒンジで相互に連結された半割り円筒状の一対の把持杆を備えるとともに、一対の把持杆におけるヒンジから離れた開放端側相互をねじ止めして、内周側を縮径させるヒンジクランプから、構成することが望ましい。
【００１５】
このような構成では、各クランプのねじの締付トルクを、一定にすることにより、縮径に伴う蓋体の外周縁における掃除口の周縁への圧接力を、蓋体の外周縁の各部位で均等にできて、掃除口を閉塞した蓋体の水密性能を安定させることができる。そして、ねじの締付時、トルクレンチを使用すれば、作業者が異なっていても、容易に、一定の締付トルクでクランプを締結することができ、安定した蓋体の水密性能を確保することができる。
【００１６】
また、上記の構成では、円環状の各クランプが、バラバラとならずに、横主管の軸方向に沿って配置されるように、連結体に連結されており、蓋体の掃除口からの取外時や掃除口への取付時に、各クランプを、それぞれ、蓋体や横主管に対して、極力、位置ずれさせず、かつ、ぐらつかせずに、配置させることが可能となって、容易に、緩めたり締め付けたりすることができ、蓋体の取外しや取り付けの作業を円滑に行うことができる。
【００１７】
そしてまた、掃除口を備え、かつ、蓋体を取り付ける部位を、横主管の内外径と略同一とした組付管に配設し、この組付管を、横主管の本体から切り取られた切除部位に、管継手を利用して接続させるように構成し、この組付管に、締結手段を利用して蓋体を組み付ければ、横主管に対して、ゴミを除去可能な掃除口と掃除口を塞ぐ蓋体とを配設させることができる。すなわち、このような組付管を使用する構成では、既設の横主管に、ゴミを除去できる掃除口を、卵殻の堆積しやすい箇所に、的確に、配置させることができて、既設の集合住宅における処理槽への卵殻の流入や横主管の詰まりを、容易に、防止することができる。
【図面の簡単な説明】
【００１８】
【図１】本発明の一実施形態の掃除口構造が配設される部位を説明する概略斜視図である。
【図２】実施形態の掃除口構造が配設される部位を説明する概略平面図である。
【図３】実施形態の掃除口構造を説明する概略部分正面図である。
【図４】実施形態の掃除口構造の概略断面図であり、図３のIV−IV部位に対応する。
【図５】実施形態に使用する構成部品の分解図である。
【図６】実施形態に使用する蓋体の断面図であり、図４のVI−VI部位に対応する。
【図７】実施形態に使用する蓋体における掃除口の閉塞状態を説明する図である。
【図８】実施形態の組付管における横主管の本体への組付状態を説明する図である。
【図９】実施形態の掃除口を開口させて卵殻を除去する作業を説明する図である。
【図１０】実施形態の変形例の掃除口構造を説明する概略部分正面図である。
【図１１】図１０に示す掃除口構造の概略断面図であり、図１０のXI−XI部位に対応する。
【発明を実施するための形態】
【００１９】
以下、本発明の一実施形態を図面に基づいて説明すると、実施形態の掃除口構造Ｓが配設される部位は、図１，２に示すように、台所流しにディスポーザを備えた高層集合住宅１の横主管８の部位であって、この横主管８の部位は、各戸でのディスポーザで粉砕したゴミを流すこととなる台所流し系統の専用とした複数の排水用立て管３からの排水が集合される部位であって、そして、その排水が処理槽５に流れるまでの部位としている。さらに、実施形態の場合、横主管８の掃除口構造Ｓを設けた部位は、高層集合住宅１の配管ピット２のエリアに、設けられて、エントランスＥ付近から鉛直方向の下方に流下し、そして、屈曲されて水平方向に排水を流す際のその屈曲部位７の近傍で、卵殻Ｃが堆積しやすいエリアに配置されている。なお、図１の符号４は、脚部継手、図２の符号６は、排水桝である。
【００２０】
そして、実施形態の掃除口構造Ｓは、図８のＡ〜Ｃに示すように、横主管８の本体９の一部を切除して、その切除部位１０の端部１１，１２に、管継手１４により、組付管１７を接続させて、構成されている。組付管１７には、掃除口２１と、掃除口２１を塞ぐ蓋体２３と、蓋体２３を組付管１７に取り付ける締結手段２７としてのクランプ体２８と、が組み付けられている。なお、実施形態の場合、管継手１４は、ノンハブカップリングが使用されており、ボルト１４ｂを締め付けて、内周側にシールゴムを設けた円環状のスリーブ１４ａを縮径させることにより、本体９の端部１１，１２と組付管１７の端部１７ａ，１７ｂとを、シール性を確保して、接続できるものである。
【００２１】
組付管１７は、横主管８の本体９と同様に、円筒状の塩化ビニル製のパイプ材（塩ビ管）から構成されると共に、呼び径を１２５〜２００φ程度とした横主管８の本体９の内径と外径との寸法を一致させて、構成されている。実施形態の場合、本体９と組付管１７は、呼び径を１５０φとした塩ビ管が使用されている。また、実施形態の場合、図８に示すように、切除部位１０の長さ寸法Ｌ０は、約６６０ｍｍ、図４，５に示すように、組付管１７の長さ寸法Ｌ１は、約６５０ｍｍ、組付管１７の外径寸法Ｄ０は、１６５ｍｍ、組付管１７の内径寸法ｄ０は、１４７ｍｍとしている。
【００２２】
組付管１７（横主管８）に設けられた掃除口２１は、図３〜５，７に示すように、組付管１７の周壁１８における上側部位１９に設けられて、横主管８の軸方向ＡＤに沿って延びるような略長方形に開口している。掃除口２１は、横主管８（組付管１７）の中心Ｏより高く配置させている（図４参照）。そして、実施形態の場合、掃除口２１は、中心Ｏからの高さ寸法Ｈを、４７．５ｍｍとして、内径寸法ｄ０の１／４（１４７×０．２５＝３７）より、さらに高い位置に配置されている。なお、実施形態の場合、掃除口２１は、長さ寸法Ｌ２を４００ｍｍ（図５参照）、開口幅Ｂを１１３ｍｍとしている（図４参照）。
【００２３】
この掃除口２１は、図７のＡに示すように、横主管８の軸直交断面において、横主管８の中心Ｏの直上部位１９ａを中央とし、かつ、横主管８の中心Ｏからの開口角度θを、９０〜１２０°の範囲内として、開口されている。実施形態の場合、開口角度θは１００°としている。
【００２４】
なお、この開口角度θは、掃除口２１がゴミを掬い易い開口幅Ｂを確保できるように、９０°以上とし、かつ、締結手段２７としてのクランプ体２８を利用して、蓋体２３を横主管８の外周面８ａに押圧する際、蓋体２３の外周縁２３ａにおける両縁側の下縁２３ａｂ，２３ａｂが、円滑に、掃除口２１の周縁２０における横主管８の外周面８ａに押圧されるように、１２０°以下として、設定されている。
【００２５】
また、掃除口２１の前後方向の長さ寸法Ｌ２は、短かすぎてはゴミを掬い難く、長すぎては蓋体の閉塞性能を低下させる虞れも生ずることから、開口幅Ｂの２〜５倍程度とすることが望ましい。ちなみに、実施形態の場合、長さ寸法Ｌ２を４００ｍｍとし、開口幅Ｂを１１３ｍｍとしており、長さ寸法Ｌ２は、開口幅Ｂの約３．５倍程度としている。
【００２６】
さらに、組付管１７（横主管８）における掃除口２１の周縁２０の外周面８ａには、四角柱状のずれ規制突起３７が固着されている。実施形態の場合、掃除口２１の周縁２０における横主管８の軸方向ＡＤで対向する部位と、横主管８の周方向ＣＤで対向する部位と、で、合計６箇所に配設されている。これらのずれ規制突起３７は、掃除口２１を閉塞させる位置に蓋体２３を配置させた際、図３や図７のＢ，Ｃに示すように、蓋体２３が横主管８の軸方向ＡＤと周方向ＣＤとに沿う方向にずれようとしても、蓋体２３の外周縁２３ａを当接させて、蓋体２３のずれを規制するものである。そのため、蓋体２３は、掃除口２１を閉塞した後では、ずれても、ずれ規制突起３７に外周縁２３ａを当接させて、掃除口２１を開口させることが防止されることとなる。
【００２７】
蓋体２３は、掃除口２１を閉塞可能な半割り円筒状に形成されて、組付管１７と同様に、塩化ビニルから形成されている。蓋体２３は、下面２３ｂの略全域に、クロロプレン等のシールゴム２６を固着させている。そして、実施形態の場合、蓋体２３は、外径寸法を組付管１７（横主管８）と同一とし、かつ、肉厚を組付管１７より薄肉とした塩ビ管から、掃除口２１を閉塞可能な大きさとして、切り出して、形成されている。そのため、掃除口２１への蓋体２３の配置当初、図７のＡに示すように、蓋体２３は、組付管１７から浮き上がった状態として配置され、その後、締結手段２７としてのクランプ体２８によって締め付けた際に、図７のＢに示すように、蓋体２３の外周縁２３ａのシールゴム２６が、掃除口２１の周縁２０に、圧接されることとなる。
【００２８】
また、蓋体２３の中央２３ｅには、逆Ｕ字形状の取手２５が上方に突設されて取り付けられている。
【００２９】
締結手段２７としてのクランプ体２８は、蓋体２３を横主管（組付管１７）８に取り付けるものであり、複数（実施形態では３個）のクランプ３０と、クランプ３０を横主管８の軸方向ＡＤに沿って連結させた連結体２９と、を備えて構成されている。連結体２９は、実施形態の場合、鋼製のアングル材から形成されている。
【００３０】
クランプ３０は、横主管８の周方向ＣＤに沿って配置されて、蓋体２３とともに横主管（組付管１７）８の外周面８ａに当接させ、かつ、内周面を縮径可能な円環状としている。さらに、実施形態の場合、クランプ３０は、ヒンジクランプとして、ヒンジ３１で相互に連結された半割り円筒状の一対の板金製の把持杆３２，３３を備えるとともに、一対の把持杆３２，３３におけるヒンジ３１から離れた開放端３２ａ，３３ａ側相互をねじ３４止めして、内周側を縮径させるように構成されている。開放端３２ａ側には、ねじ３４に対応するナット３５が固着されている。そして、各クランプ３０は、蓋体２３の横主管８の軸方向ＡＤに沿った両端２３ｃ，２３ｄと中央２３ｅとを締付可能に、把持環３３側を連結体２９に固着させている。
【００３１】
この掃除口構造Ｓでは、図７のＡに示すように、蓋体２３の外周縁２３ａを掃除口２１の周縁２０に当接させつつ、蓋体２３によって掃除口２１を閉塞させた状態で、クランプ体２８の各クランプ３０を締め付けて、蓋体２３を横主管（組付管１７）８の外周面８ａ側に押圧すれば、掃除口２１を閉塞することができる。そして、ゴミ（卵殻）Ｃを除去する際、クランプ体２８の各クランプ３０におけるねじ３４を、緩めて、ナット３５から外して、図４の二点鎖線に示すように、各クランプ３０の開放端３２ａ，３３ａ側を大きく開き、そして、蓋体２３を横主管（組付管１７）８から外せば、図９のＡに示すように、掃除口２１を開口させることができる。
【００３２】
そして、掃除口２１は、横主管（組付管１７）８の周壁１８における上側部位１９に、開口されており、横主管８内に排水自体が残っていても、その排水を流下させず、すなわち、周囲を水浸しすること無く、卵殻Ｃを除去することが可能となる。また、掃除口２１は、横主管８の軸方向ＡＤに沿って延びた略長方形に開口されており、横主管８の下側周壁１８ｂの内周面側において、図９のＢ，Ｃに示すように、横主管８の軸方向ＡＤに沿って手やスコップ等を動かすことができて、容易に、卵殻Ｃを掬うことができ、卵殻Ｃの除去作業を円滑に行うことができる。なお、図例の場合には、掃除口２１から収容カゴＮを下側周壁１８ｂ上に配置させて、ゴム手袋をした作業者が、卵殻Ｃを掬いながら収容カゴＮ内に入れ、収容カゴＮに入れた卵殻Ｃを所定のバケツＹに入れて、横主管８に堆積した卵殻Ｃの除去を行う作業を示している。ちなみに、卵殻Ｃの除去時には、図９のＣの二点鎖線に示すように、作業者が、適宜、バキュームホースＶＨを掃除口２１から挿入して、卵殻Ｃを吸引して除去してもよい。
【００３３】
そして、ゴミ（卵殻）Ｃの除去後は、蓋体２３の外周縁２３ａを掃除口２１の周縁２０に当接させつつ、蓋体２３によって掃除口２１を閉塞させた状態で、クランプ体２８の各クランプ３０を締め付けて、蓋体２３を横主管８の外周面側に押圧させれば、掃除口２１を蓋体２３によって閉塞させることができて、その後に、各住居からの排水が集合されて横主管８を通過することとなっても、掃除口２１が閉塞されていることから、円滑に、処理槽５まで排水を導くことができる。また、掃除口２１は、横主管８の周壁１８における上側部位１９に開口されており、蓋体２３を横主管８の外周面８ａに押圧する際、単に、蓋体２３を下方に押圧するだけでも、蓋体２３の外周縁２３ａを、掃除口２１の周縁２０となる横主管８の外周面８ａに押圧することができて、安定して、蓋体２３による掃除口２１の閉塞状態を、確保することができる。
【００３４】
したがって、実施形態の掃除口構造Ｓでは、処理槽５に至るまでの横主管８内に堆積するゴミ（卵殻）Ｃを円滑に除去でき、また、除去後には、円滑に、処理槽５まで排水を導くことができる。
【００３５】
特に、実施形態では、掃除口２１が、横主管８の軸直交断面において、横主管８の中心Ｏの直上部位１９ａを中央とし、かつ、横主管８の中心Ｏからの開口角度θを、９０〜１２０°の範囲内の１００°としており、掃除口２１の開口幅Ｂを十分確保でき、また、蓋体２３の外周縁２３ａの両下縁２３ａｂ側を、安定して横主管８の外周面８ａに対して押圧できる。
【００３６】
また、実施形態の掃除口構造Ｓでは、掃除口２１の周縁２０における横主管８の外周面８ａに、蓋体２３の外周縁２３ａに当接して、掃除口２１の閉塞時の蓋体２３における横主管８の軸方向ＡＤと周方向ＣＤとの方向に沿うずれを規制可能なずれ規制突起３７が、配設されている。そのため、掃除口２１を塞ぐように蓋体２３を配置させれば、蓋体２３が、外周縁２３ａをずれ規制突起３７に当接させて、横主管８の軸方向ＡＤと周方向ＣＤとに沿う方向のずれを規制されることから、各クランプ３０を締め付ける作業等を行っても、蓋体２３の掃除口２１の閉塞状態を、安定して確保することができる。また、掃除口２１を塞ぐように蓋体２３を配置させる際、外周縁２３ａをずれ規制突起３７に当接させたり、あるいは、当接させないようにする等して、ずれ規制突起３７を、蓋体２３の閉塞位置へのガイドとして使用でき、横主管の上側部位１９に大きく掃除口２１が開口されていても、容易に、掃除口２１の閉塞位置に、蓋体２３を配置させることができる。
【００３７】
そしてまた、実施形態では、締結手段２７が、横主管８の周方向ＣＤに沿って配置されて、蓋体２３とともに横主管８の外周面に当接させ、かつ、内周面を縮径可能な円環状の複数のクランプ３０と、クランプ３０を横主管８の軸方向ＡＤに沿って連結させた連結体２９と、を設けて構成したクランプ体２８から形成している。さらに、各クランプ３０が、それぞれ、ヒンジ３１で相互に連結された半割り円筒状の一対の把持杆３２，３３を備えるとともに、一対の把持杆３２，３３におけるヒンジ３１から離れた開放端３２ａ，３３ａ側相互をねじ３４止めして、内周側を縮径させるヒンジクランプから、構成されている。
【００３８】
このような構成では、ヒンジクランプ３０が、各クランプ３０のねじ３４の締付トルクを、一定にすることにより、縮径に伴う蓋体２３の外周縁２３ａにおける掃除口２１の周縁２０への圧接力を、蓋体２３の外周縁２３ａの各部位（両端２３ｃ，２３ｄや中央２３ｅ）で均等にできて、掃除口２１を閉塞した蓋体２３の水密性能を安定させることができる。そして、ねじ３４の締付時、トルクレンチを使用すれば、作業者が異なっていても、容易に、一定の締付トルクでクランプ３０を締結することができ、安定した蓋体２３の水密性能を確保することができる。
【００３９】
さらに、実施形態では、円環状の各クランプ３０が、バラバラとならずに、横主管８の軸方向ＡＤに沿って配置されるように、連結体２９に連結されており、蓋体２３の掃除口２１からの取外時や掃除口２１への取付時に、各クランプ３０を、それぞれ、蓋体２３や横主管８に対して、極力、位置ずれさせず、かつ、ぐらつかせずに、配置させることが可能となって、容易に、緩めたり締め付けたりすることができ、蓋体２３の取外しや取り付けの作業を円滑に行うことができる。
【００４０】
勿論、上記の点を考慮しなければ、蓋体２３を、直接、締結手段としてのねじ自体により、掃除口２１の周縁にねじ止めして、横主管８に取り付けたり、あるいは、横主管８の下側周壁１８ｂの外周面を包むような締結手段としてのＵ字状ボルトの上方へ向いた両端のボルト部を、蓋体２３の両縁から、上方へ突出させて、各ボルト部に、ナットを締結させて締め付けることにより、蓋体２３を、掃除口２１の周縁２０に押し付けるように、横主管８に取り付けてもよい。
【００４１】
また、実施形態では、掃除口２１を備え、かつ、蓋体２３を取り付ける部位を、横主管８の本体９の内外径と略同一とした組付管１７に配設している。そのため、図８に示すように、横主管８に卵殻Ｃの堆積し易い部位があれば、まず、図８のＡに示すように、その部位を切除する。ついで、図８のＢ，Ｃに示すように、横主管８の本体９側の端部１１，１２に管継手１４，１４を嵌めるとともに、組付管１７を配置させ、さらに、図８のＤに示すように、組付管１７の端部１７ａ，１７ｂと本体９の端部１１，１２とを、管継手１４，１４によって、接続させれば、横主管８に対して、ゴミを除去可能な掃除口２１と掃除口２１を塞ぐ蓋体２３とを配設させることができる。すなわち、このような組付管１７を使用する構成では、既設の横主管８に、ゴミを除去できる掃除口２１を、卵殻Ｃの堆積しやすい箇所に、的確に、配置させることができて、既設の集合住宅における処理槽５への卵殻Ｃの流入や横主管８の詰まりを、容易に、防止することができる。
【００４２】
勿論、上記の点を考慮しなければ、予め、掃除口２１、蓋体２３、クランプ体２８を設けた状態で、横主管８を構成してもよい。
【００４３】
なお、実施形態では、図２に示すように、配管ピット２に敷設された横主管８の上流部位側に、掃除口構造Ｓを設けた場合を示したが、図２の二点鎖線に示すように、卵殻Ｃが堆積し易い部位であれば、センターコアの近傍や排水枡６の近傍の横主管８の部位に、掃除口構造Ｓを設けても良い。
【００４４】
また、実施形態では、横主管８に設ける掃除口２１の開口形状を、横主管８の軸方向ＡＤに沿って延びた長方形とした場合を例示したが、厳密な長方形で無くとも、掃除口２１は、横主管８の軸方向ＡＤに沿って延びる略長方形状に開口されていれば良く、例えば、横主管８の軸方向ＡＤに沿った両端を半円形とした長円形や楕円形等の形状も、本発明の略長方形状に含まれるものである。
【００４５】
さらに、実施形態では、蓋体２３のずれを規制するずれ規制突起３７を、組付管（横主管８）１７の外周面８ａに設けた場合を示したが、図１０，１１に示すように、ずれ規制突起３７Ａを蓋体２３側に設けても良い。すなわち、これらの規制突起３７Ａは、蓋体２３の下面２３ｂ側における外周縁２３ａの四隅近傍に、それぞれ、四角柱状として、下方に突設され、蓋体２３の閉塞時の位置ずれ時、掃除口２１の内縁２２側に当接するように、配設されている。この構成では、掃除口２１を閉塞させる位置に蓋体２３を配置させた際、蓋体２３が横主管８の軸方向ＡＤと周方向ＣＤとに沿う方向にずれようとしても、ずれ規制突起３７Ａが、掃除口２１の内縁２２に当接して、蓋体２３のずれを規制することとなる。なお、この蓋体２３には、外周縁２３ａに部分的にシールゴム２６Ａが設けられており、蓋体２３は、このように構成しても良い。
【符号の説明】
【００４６】
５…処理槽、
８…横主管、
８ａ…外周面、
９…本体、
１０…切除部位、
１７…組付管、
１８…周壁、
１９…上側部位、
１９ａ…上側頂部、
２１…掃除口、
２３…蓋体、
２７…締結手段、
２８…クランプ体、
２９…連結体、
３０…クランプ、
３１…ヒンジ、
３２，３３…把持杆、
３２ａ，３３ａ…開放端、
３４…ねじ、
３７，３７Ａ…ずれ規制突起、
Ｃ…卵殻、
Ｓ…掃除口構造。
【図１】
0005616685.tif 000002
【図２】
0005616685.tif 000003
【図３】
0005616685.tif 000004
【図４】
0005616685.tif 000005
【図５】
0005616685.tif 000006
【図６】
0005616685.tif 000007
【図７】
0005616685.tif 000008
【図８】
0005616685.tif 000009
【図９】
0005616685.tif 000010
【図１０】
0005616685.tif 000011
【図１１】
0005616685.tif 000012